(57)【特許請求の範囲】
【請求項１】
リール本体に回転自在に支持されたハンドル軸とスプールとをクラッチ機構で係脱する釣り用リールに設けられる釣り用リールの発電装置であって、
前記ハンドル軸の糸巻取り方向の回転運動に連動して運動し、かつ前記クラッチ機構が離脱状態のときに前記スプールとの連動が解除される連動部材に装着された第１発電部材と、
前記第１発電部材に近接してリール本体に設けられ、前記第１発電部材との相対運動により発電する第２発電部材と、
を備え、
前記釣り用リールは、前記ハンドル軸と前記スプールとの間の伝達トルクの調整を行うドラグ機構を有しており、
前記連動部材は、前記ドラグ機構の調整により前記ハンドル軸と前記スプールとの連動が解除された状態で前記ハンドル軸の回転運動に連動して運動する、
釣り用リールの発電装置。
【請求項２】
前記連動部材は前記ハンドル軸に連動する回転部材であり、
前記第１発電部材は永久磁石及びコイルのいずれか一方であり、前記第２発電部材は前記第１発電部材に近接して配置されたいずれか他方である、
請求項１に記載の釣り用リールの発電装置。
【請求項３】
前記第１発電部材は前記ハンドル軸に連動して往復角運動する往復部材であり、
前記第２発電部材は、前記第１発電部材が衝突することで発電する圧電素子又はボイスコイルである、
請求項１又は２に記載の釣り用リールの発電装置。
【発明の詳細な説明】
【０００１】
【発明の属する技術分野】
本発明は、釣り用リールの発電装置、特に、リール本体に回転自在に支持されたハンドル軸とスプールとをクラッチ機構で係脱する釣り用リールに設けられる釣り用リールの発電装置に関する。
【０００２】
【従来の技術】
釣り船などから仕掛けを投下する際には、魚群の位置に正確に仕掛けを降ろして当たりを待つことにより釣果が期待できる。このため、最近の釣り用リールには、釣り糸の繰り出し長さや巻取り長さを計測して表示したり、計測長に基いて棚位置でアラームを鳴らしたりする装置を備えているものが多い。
【０００３】
このような釣り用リールでは、上記装置を駆動するために電源を必要とする。この電源を確保するために、手巻き式の釣り用リールにおいてはリチウム電池などが使用されている。しかし、電池交換の不便、スペース上の問題、防水性の問題等の欠点がある。
【０００４】
この電池交換の不便を解決する技術として、スプールに永久磁石を、対向するリール本体にコイルをそれぞれ設けて発電し、得られた電気を装置駆動の電源としての充電池に充電するものが実開昭６１−２０１６４号公報に開示されている。また、さらにスペース上の問題や防水性の問題を解決する技術として、スプールに連動して回転する回転体にマグネットを、リール本体に装着される防水容器内にコイルをそれぞれ配置して発電するリールが、実開平７−５３５９号公報に開示されている。
【０００５】
【発明が解決しようとする課題】
前記両公報に示されている発電のための構造では、スプール又はスプールと常に連動する回転体に永久磁石が設けられているので、スプールからの釣り糸の繰り出し及びスプールへの釣り糸の巻き取りのいずれの場合でも発電が行われる。
【０００６】
しかし、釣り糸の繰り出し時に発電が行われてしまうと、スプールの回転に制動がかかる。したがって、このような発電装置をリールに設けると、釣り船などから仕掛けを投下する際に、発電装置を有していない通常のリールに比べて仕掛けの落下速度が遅くなり、棚位置への仕掛けの到達が遅れ、通常のリールを使用する釣り客に比べ不利な状態となる。また、仕掛けを投げ込む場合、仕掛けの飛距離が落ちてしまう。
【０００７】
本発明の課題は、発電を行う釣り用リールにおいて、糸繰り出し時のスプールの制動を防ぐことにある。
【０００８】
【課題を解決するための手段】
発明１に係る釣り用リールの発電装置は、リール本体に回転自在に支持されたハンドル軸とスプールとをクラッチ機構で係脱する釣り用リールに設けられる装置であって、第１発電部材と第２発電部材とを備えている。第１発電部材は、ハンドル軸の糸巻取り方向の回転運動に連動して運動し、かつクラッチ機構が離脱状態のときにスプールとの連動が解除される連動部材に装着されている。第２発電部材は、第１発電部材に近接してリール本体に設けられ、第１発電部材との相対運動により発電を行う。また、釣り用リールはハンドル軸とスプールとの間の伝達トルクの調整を行うドラグ機構を有しており、連動部材は、ドラグ機構の調整によりハンドル軸とスプールとの連動が解除された状態で、ハンドル軸の回転運動に連動して運動する。
【０００９】
この発電装置では、ハンドル軸が糸の巻き取り方向に回転されると、スプールが回転して糸が巻きとられる。このとき、連動部材がハンドル軸に連動して運動し、この連動部材に装着された第１発電部材とリール本体に設けられた第２発電部材との間の相対運動により発電がされる。一方、糸を繰り出すときには、クラッチ機構が離脱状態にされている。このため、スプールは回転するが連動部材は運動しない。したがって、糸繰り出し時には、第１発電部材と第２発電部材とは相対運動せず発電が行われないため、発電によるスプールの制動は生じない。このため、本発明に係る発電装置を有するリールのスプールは、発電装置を備えていないリールのスプールと同様に、同負荷に対して同じ速度で回転する。さらに、この装置では、糸巻き取り時以外の時にも、ドラグ機構を調整しハンドル軸とスプールとの連動を解除した状態でハンドルを回転させることにより、発電だけを行うことができる。
【００１０】
発明２に係る釣り用リールの発電装置は、発明１に記載の装置において、連動部材はハンドル軸に連動する回転部材である。また、第１発電部材は永久磁石及びコイルのいずれか一方であり、第２発電部材は第１発電部材に近接して配置されたいずれか他方である。この場合には、ハンドル軸が糸の巻き取り方向に回転されると、連動部材がハンドル軸に連動して回転し、この連動部材に装着された第１発電部材とリール本体に固定されている第２発電部材との間の相対運動により両発電部材の間の磁界が変化する。これによりコイルに電力が発生し、発電がされる。このように発電部材に永久磁石とコイルとを採用することにより、回転という機械エネルギーを電気エネルギーに容易に変換することができる。
【００１１】
発明３に係る釣り用リールの発電装置は、発明１又は２に記載の装置において、第１発電部材はハンドル軸に連動して往復角運動する往復部材である。また、第２発電部材は、前記第１発電部材が衝突することで発電する圧電素子又はボイスコイルである。この場合には、スペース上の問題や強度上の問題などにより回転部材等に第１発電部材を装着できない場合にも、釣り用リールに発電装置を設けることが可能となる。
【００１２】
【発明の実施の形態】
〔実施形態１〕
図１は、本発明の一実施形態による発電装置を採用した両軸受リールの平面図である。図１に示す両軸受リールは、リール本体１と、リール本体１の側方に配置されたスプール回転用ハンドル２と、ハンドル２のリール本体１側に配置されたドラグ調整用のスタードラグ３と、カウンターケース１２とを備えている。
【００１３】
カウンターケース１２内には、整流器９０と、充電池９１と、制御表示装置９２と、各種センサーとが内部収容されているとともに、液晶ディスプレイ９３と、複数の操作スイッチ９４とが表面に露出して設けられている。
【００１４】
図２に示すように、リール本体１は、フレーム５と、フレーム５の両側方に装着された第１カバー６及び第２カバー７とを有している。フレーム５は、所定の間隔をあけて互いに対向するように配置された１対の側板８，９と、これらの側板８，９を連結する前連結部１０及び後連結部１１とを有している。
【００１５】
フレーム５内には、スプール１４と、スプール１４に均一に糸を巻くためのレベルワインド機構１６が配置されている。フレーム５と第２カバー７との間には、第１ギア機構１８ａと、第２ギア機構１８ｂと、クラッチ係脱機構１９と、係脱制御機構２０と、ドラグ機構２１と、キャスティングコントロール機構２２と、発電装置２４とが配置されている。第１ギア機構１８ａは、ハンドル２からの回転力をスプール１４及びレベルワインド機構１６に伝える。第２ギア機構１８ｂは、ハンドル２からの回転力を発電装置２４に伝える。クラッチ係脱機構１９は、クラッチの係脱により、第１ギア機構１８ａとスプール１４との係合状態及び離脱状態を切り換える。係脱制御機構２０は、クラッチレバー４０の操作に応じてクラッチの係脱を制御する。キャスティングコントロール機構２２は、スプール１４の回転時の抵抗力を調整する。また、フレーム５と第１カバー６との間には、スプール１４とレベルワインド機構１６とを連動させる３枚の連動ギア５０ａ，５０ｂ，５０ｃからなる連動ギア機構５０が配置されている。この両軸受リールでは、レベルワインド機構１６は、スプール１４の回転方向に係わらず常にスプール１４と連動して動作する。
【００１６】
スプール１４は、その中心を貫通するスプール軸１５に固定されている。スプール軸１５は軸受によってフレーム５に回転自在に支持されている。スプール軸１５の端部には連動ギア５０ａが固定されている。
【００１７】
レベルワインド機構１６は、１対の側板８，９間に固定されたガイド筒２５と、ガイド筒２５内に回転自在に支持されたウォームシャフト２６と、ラインガイド２７とを有している。ウォームシャフト２６には螺旋状の溝が形成されており、ラインガイド２７の一部がこの溝に噛み合っている。また、ウォームシャフト２６の一端には連動ギア５０ｃが固定されている。これにより、スプール１４の回転に従ってウォームシャフト２６が回転し、ラインガイド２７がガイド筒２５に沿って往復運動を行う。
【００１８】
第１ギア機構１８ａは、ドラグ機構２１によりハンドル軸３０と連動するメインギア３１と、メインギア３１に噛み合うピニオン３２とを有している。ピニオン３２は、クラッチ係脱機構１９によりスプール軸１５と係合あるいは離脱が可能である。
【００１９】
第２ギア機構１８ｂは、ハンドル軸３０に固定されたギア３３と、ギア３３に噛み合うギア４９とを有している。ギア４９は、発電装置２４の構成部品となっており、第２カバー７に回転自在に支持されている。
【００２０】
発電装置２４は、ギア４９と、ギア４９に固定されている複数の永久磁石８０と、コイル８１とを有している。ギア４９は、前述のギア３３と噛み合っており、ハンドル軸３０と連動して回転する。コイル８１は、永久磁石８０と対向する位置に配置されており、側板９に固定され、カウンターケース１２内の整流器９０に接続されている。
【００２１】
次に、この両軸受リールの動作を説明する。釣り糸を巻き取るときには、ハンドル２を糸巻き取り方向に回す。ハンドル２の回転はハンドル軸３０に伝達され、ドラグ機構２１を介してハンドル軸３０に連動するメインギア３１及びピニオン３２が回転する。ピニオン３２の回転は、クラッチ係脱機構１９によりピニオン３２と嵌合しているスプール軸１５に伝達され、スプール１４が回転して釣り糸を巻き取る。このスプール１４の回転は連動ギア機構５０を介してウォームシャフト２６に伝達され、ウォームシャフト２６の回転により前述のようにラインガイド２７がガイド筒２５に沿って往復運動を行う。この往復運動により、スプール１４に均一に釣り糸が巻き取られる。
【００２２】
この糸巻き取り時に、発電装置２４においては、ハンドル軸３０に固定されているギア３３に噛み合うギア４９の回転に従って複数の永久磁石８０が回転する。これによりコイル８１に電力が発生する。発電された電力は、カウンターケース１２内の整流器９０に送られ直流電流に変換された後、充電池９１に充電される。この充電された電力によって制御表示装置９２が作動して、各種センサーの検知結果から読みとられる情報が液晶ディスプレイ９３に表示される。
【００２３】
一方、釣り糸を繰り出すときには、クラッチレバー４０を操作してクラッチ係脱機構１９によりクラッチを離脱する。これにより、スプール軸１５とピニオン３２との嵌合が解除され、釣り糸の繰り出しによりスプール１４が回転しても第１ギア機構１８ａにはその回転は伝達されない。すなわち、ハンドル軸３０及びギア３３を介して第１ギア機構１８ａと連動するギア４９も回転せず、発電装置２４による発電は行われない。
【００２４】
従来の発電装置を有する両軸受リールでは、スプール自体あるいはクラッチ離脱状態でスプールの回転に従って運動する部材に発電部材が装着されており、糸繰り出し時において発電によるスプールの制動が生じている。これに対し、本実施形態による発電装置２４を有する両軸受リールでは、糸繰り出し時には発電しないため、スプール１４の回転に制動がかからない。このため、釣り船などから仕掛けを投下する際に、発電装置を備えていない両軸受リールと同様の仕掛けの落下速度を確保でき、発電装置を備えていない両軸受リールを使用する釣り客に比べて不利な状態とならない。仕掛けを投げ込むような場合にも、発電装置を備えていない両軸受リールと同様の仕掛けの飛距離を確保できる。
【００２５】
また、充電池９１の電気容量が不足した場合、釣りを始める前や釣りの最中であっても発電できることが望ましい。ここでは、ドラグ機構２１によりハンドル軸３０と第１ギア機構１８ａとの連動を解除した場合においてもハンドル軸３０と連動するギア４９により発電していることが有効となる。
【００２６】
ハンドル２を糸巻き取り方向に回転させた場合には、通常、クラッチ係脱機構１９が自動的に係合状態となり、スプール１４と第１ギア機構１８ａとは連動する。このため、スプール１４や第１ギア機構１８ａに常に連動する部材を利用して発電する場合、発電しているときには常にスプール１４が回転している状態となる。これでは、仕掛けをつけた状態などの場合に不都合となることがある。これに対し本実施形態の発電装置２４の場合、ドラグ機構２１の調整によりハンドル軸３０と第１ギア機構１８ａとの連動を解除すると、発電装置２４のギア４９はスプール１４と連動しない。したがって、スプール１４の回転を生じさせることなく、ハンドル２を回して発電を行うことができる。このように、充電池９１の電気容量が不足した場合に、スプール１４の回転などの不都合を伴うことなく簡易に発電だけを行うことができる。
【００２７】
〔実施形態２〕
図３は、本発明の実施形態２による発電装置を採用した両軸受リールの平面図である。なお、以降の説明において実施形態１と同一又は同様な部材の符号は同一符号を付すものとする。
【００２８】
図３に示す両軸受リールは、リール本体１と、リール本体１の側方に配置されたスプール回転用ハンドル２と、ハンドル２のリール本体１側に配置されたドラグ調整用のスタードラグ３と、カウンターケース１２とを備えている。
【００２９】
カウンターケース１２内には、整流器９０、充電池９１、制御表示装置９２、及び各種センサーが内部に収容されているとともに、液晶ディスプレイ９３と複数の操作スイッチ９４とが表面に露出して設けられている。
【００３０】
図４で示すように、リール本体１は、フレーム５と、フレーム５の両側方に装着された第１カバー６及び第２カバー７とを有している。フレーム５は、所定の間隔をあけて互いに対向するように配置された１対の側板８，９と、これらの側板８，９を連結する前連結部１０及び後連結部１１とを有している。
【００３１】
フレーム５内には、スプール１４と、スプール１４に均一に糸を巻くためのレベルワインド機構１６と、サミングを行うときに親指の当てとなるサムレスト１７とが配置されている。また、フレーム５と第２カバー７との間には、第１ギア機構１８ａと、第２ギア機構１８ｂと、クラッチ係脱機構１９と、係脱制御機構２０と、ドラグ機構２１と、キャスティングコントロール機構２２とが配置されている。第１ギア機構１８ａは、ハンドル２からの回転力をスプール１４に伝える。第２ギア機構１８ｂは、ハンドル２からの回転力をレベルワインド機構１６及びこれを介して発電装置２４に伝える。クラッチ係脱機構１９は、クラッチの係脱により、第１ギア機構１８ａとスプール１４との係合状態及び離脱状態を切り換える。係脱制御機構２０は、サムレスト１７の操作に応じてクラッチの係脱を制御する。キャスティングコントロール機構２２は、スプール１４の回転時の抵抗力を調整する。また、フレーム５と第１カバー６との間には、キャスティング時のバックラッシュを抑えるためのマグネットブレーキ機構２３と、カウンターケース１２内のたとえばリチウム充電池９１に電気を供給する発電装置２４とが配置されている。
【００３２】
スプール１４は、その中心を貫通するスプール軸１５に固定されている。スプール軸１５は軸受によってフレーム５に回転自在に支持されている。
【００３３】
レベルワインド機構１６は、１対の側板８，９間に固定されたガイド筒２５と、ガイド筒２５内に回転自在に支持されたウォームシャフト２６と、ラインガイド２７とを有している。ウォームシャフト２６には螺旋状の溝２６ａが形成されており、ラインガイド２７の一部がこの溝２６ａに噛み合っている。これにより、ウォームシャフト２６の回転に従って、ラインガイド２７がガイド筒２５に沿って往復運動を行う。ウォームシャフト２６の一端には後述するギア２８が固定されており、他端には後述する発電装置２４の回転部材２９が固定されている。
【００３４】
第１ギア機構１８ａは、ドラグ機構２１によりハンドル軸３０と連動するメインギア３１と、メインギア３１に噛み合うピニオン３２とを有している。ピニオン３２は、クラッチ係脱機構１９によりスプール軸１５と係合あるいは離脱が可能である。
【００３５】
第２ギア機構１８ｂは、ハンドル軸３０に固定されたギア３３と、ギア３３に噛み合うギア２８とを有している。ギア２８は、前述のウォームシャフト２６の一端に固定されている。
【００３６】
発電装置２４は、軸７５と、ケース７６と、回転子７７と、固定子７８とを有している。軸７５は、ケース７６に固定された軸受に支持され、一端が前述のウォームシャフト２６の他端に固定され、ウォームシャフト２６と連動して回転する。ケース７６は、補助部材を介してリール本体１の側板８に固定されている。回転子７７は、軸７５に固定されている。すなわち、回転子７７は、軸７５，ウォームシャフト２６，及びギア２８，３３を介してハンドル軸３０と連動する。固定子７８は、回転子７７に対向するように配置されケース７６に固定されており、固定子巻線を収容している。この固定子巻線は、カウンターケース１２内の整流器９０につながっている。
【００３７】
次に、実施形態２の両軸受リールの動作を説明する。釣り糸を巻き取るときには、ハンドル２を糸巻取方向に回転させる。ハンドル２の回転はハンドル軸３０に伝達され、ドラグ機構２１を介してメインギア３１及びピニオン３２が回転する。ピニオン３２の回転は、クラッチ係脱機構１９によりピニオン３２と嵌合しているスプール軸１５に伝達され、スプール１４が回転して釣り糸を巻き取る。一方、ハンドル軸３０に連動してギア３３及びギア２８が回転する。ギア２８の回転はウォームシャフト２６に伝達され、ウォームシャフト２６の回転により前述のようにラインガイド２７がガイド筒２５に沿って往復運動を行う。この往復運動により、スプール１４に均一に釣り糸が巻き取られていく。
【００３８】
また糸巻き取り時には、ハンドル軸３０の回転に連動するウォームシャフト２６の回転に従って発電装置２４の回転子７７も回転する。回転子７７が回転すると、固定子７８に収容されている固定子巻線に電力が発生する。発電された電力は、カウンターケース１２内の整流器９０に送られ直流電流に変換された後、充電池９１に充電される。この充電された電力によって制御表示装置９２が作動し、各種センサーの検知結果から読みとられる情報が液晶ディスプレイ９３に表示される。
【００３９】
一方、釣り糸を繰り出すときには、サムレスト１７を操作してクラッチ係脱機構１９によりクラッチを離脱する。これにより、スプール軸１５と第１ギア機構１８ａのピニオン３２との嵌合が解除され、釣り糸の繰り出しによってスプール１４が回転しても第１ギア機構１８ａにはその回転は伝達されない。すなわち、ハンドル軸３０，第２ギア機構１８ｂ，及びウォームシャフト２６を介して第１ギア機構１８ａと連動する発電装置２４の回転子７７も回転を行わず、発電装置２４による発電は行われない。このため、実施形態１と同様な効果が得られる。
【００４０】
また、実施形態１と同様に、充電池９１の電気容量が不足した場合には、ドラグ機構２１の調整によってハンドル軸３０と第１ギア機構１８ａとの連動を解除してハンドル２を回すことにより、スプール１４の回転などの不都合を伴うことなく簡易に発電だけを行うことができる。
【００４１】
〔実施形態３〕
上記の実施形態１では、従来の両軸受リールに対してハンドル軸３０に固定されるギア３３を設けて、このギア３３に噛み合うギア４９の回転を利用して発電装置２４を作動させている。本実施形態では、実施形態１に示すような構造の両軸受リールにおいて、ギア３３，４９を設ける代わりに、ハンドル逆転防止機構６０のストッパー６２の動きを利用して発電を行う。
【００４２】
ハンドル逆転防止機構６０は、図５に示すように、ラチェットホイール６１と、ストッパー６２とを有している。ラチェットホイール６１はハンドル軸３０に固定されている。ストッパー６２は、ピン６３に支持されており、バネ６４によりラチェットホイール６１側に付勢され、ラチェットホイール６１との係合によってハンドル軸３０の逆転（糸巻き取り方向と反対の回転）を阻止する。
【００４３】
発電装置２４は、ストッパー６２の端部に形成されたハンマー部６２ａと圧電素子（例えば、ピエゾ素子）８５とを有している。他の構成については、実施形態１と同様である。
【００４４】
次に、実施形態３の両軸受リールの動作を説明する。釣り糸を巻き取るときには、ハンドル２を糸巻き取り方向に回す。ハンドル２の回転はハンドル軸３０に伝達され、これに固定されているラチェットホイール６１が回転する。ラチェットホイール６１の回転に従って、ストッパー６２はピン６３を中心とする往復角運動を行う。この運動に伴って、ストッパー６２のハンマー部６２ａは圧電素子８５をたたく動作を繰り返す。これにより圧電素子８５に電力が発生する。発電された電力は、カウンターケース１２内の整流器９０に送られ直流電流に変換された後、充電池９１に充電される。この充電された電力によって制御表示装置９２が作動して、各種センサーの検知結果から読みとられる情報が液晶ディスプレイ９３に表示される。
【００４５】
スプール１４の回転やレベルワインド機構１６などの他の作用については、実施形態１と同様である。
【００４６】
一方、釣り糸を繰り出すときには、実施形態１と同様に、釣り糸の繰り出しによりスプール１４が回転しても第１ギア機構１８ａにはその回転は伝達されない。すなわち、ハンドル軸３０及びラチェットホイール６１を介して第１ギア機構１８ａと連動する発電装置２４のハンマー部６２ａも運動せず、発電は行われない。これにより、実施形態１と同様な効果が得られる。
【００４７】
また、実施形態１と同様に、充電池９１の電気容量が不足した場合には、ドラグ機構２１の調整によってハンドル軸３０と第１ギア機構１８ａとの連動を解除してハンドル２を回すことにより、スプール１４の回転などの不都合を伴うことなく簡易に発電だけを行うことができる。
【００４８】
〔他の実施形態〕
（ａ） 実施形態３の発電装置２４において、圧電素子８５に代えてボイスコイルなど同様の発電可能な部材を採用しても良い。
【００４９】
（ｂ） コイル８１や圧電素子８５等の第２発電部材をリール本体１に固定せずに、永久磁石８０やハンマー部６２ａ等の第１発電部材と相対運動可能にリール本体１に設けてもよい。
【００５０】
（ｃ） コイル８１や圧電素子８５等を第１発電部材としてリール本体１に設け、永久磁石８０やハンマー部６２ａ等を第２発電部材として運動させてもよい。
【００５１】
【発明の効果】
本発明に係る発電装置では、糸の巻き取り時にのみ発電が行われ糸繰り出し時には発電しないため、糸繰り出し時にスプールの回転に発電による制動がかからない。そして、この装置では、糸巻き取り時以外の時にも、ドラグ機構を調整しハンドル軸とスプールとの連動を解除した状態でハンドルを回転させることにより、発電だけを行うことができる。
【図面の簡単な説明】
【図１】本発明の一実施形態による発電装置が採用された両軸受リールの平面図。
【図２】前記両軸受リールの横断面図。
【図３】本発明の実施形態２による発電装置が採用された両軸受リールの平面図。
【図４】実施形態２による両軸受リールの横断面図。
【図５】本発明の実施形態３による発電装置が採用された両軸受リールの縦断面図。
【符号の説明】
１ リール本体
１４ スプール
１９ クラッチ係脱機構
２０ 係脱制御機構
２１ ドラグ機構
２４ 発電装置
２９ 回転部材
３０ ハンドル軸
４９ ギア
６０ ハンドル逆転防止機構
６１ ラチェットホイール
６２ ストッパー
６２ａ ハンマー部
７７ 回転子
７８ 固定子
８０ 永久磁石
８１ コイル
８５ 圧電素子
【図１】
0003770340.tif 000002
【図２】
0003770340.tif 000003
【図３】
0003770340.tif 000004
【図４】
0003770340.tif 000005
【図５】
0003770340.tif 000006